【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
ペットボトルのネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とするペットボトルのネック部に装着して携帯用手動おしり洗浄器として使用できる携帯用手動おしり洗浄器の装着体。
【請求項２】
ペットボトルが、清涼飲料等の内容物を摂取後のキャップを取脱したペットボトルであることを特徴とする、請求項１に記載の携帯用手動おしり洗浄器の装着体。
【請求項３】
内容物を取り除いた使用済みのペットボトルのネック部に、請求項１に記載の携帯用手動おしり洗浄器の装着体を取付けてなることを特徴とする携帯用手動おしり洗浄器。
【請求項４】
折畳み可能な容器のネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とする携帯用手動おしり洗浄器の装着体。
【請求項５】
折畳み可能な容器のネック部に、請求項４に記載の携帯用手動おしり洗浄器の装着体を取付けてなることを特徴とする携帯用手動おしり洗浄器。
【手続補正２】
【補正対象書類名】明細書
【補正対象項目名】０００４
【補正方法】変更
【補正の内容】
【０００４】
本発明の特許請求の範囲は、次の通りである。
（請求項１）ペットボトルのネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とするペットボトルのネック部に装着して携帯用手動おしり洗浄器として使用できる携帯用手動おしり洗浄器の装着体。
（請求項２）ペットボトルが、清涼飲料等の内容物を摂取後のキャップを取脱したペットボトルであることを特徴とする、請求項１に記載の携帯用手動おしり洗浄器の装着体。
（請求項３）内容物を取り除いた使用済みのペットボトルのネック部に、請求項１に記載の携帯用手動おしり洗浄器の装着体を取付けてなることを特徴とする携帯用手動おしり洗浄器。
（請求項４）折畳み可能な容器のネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とする携帯用手動おしり洗浄器の装着体。
（請求項５）折畳み可能な容器のネック部に、請求項４に記載の携帯用手動おしり洗浄器の装着体を取付けてなることを特徴とする携帯用手動おしり洗浄器。
【手続補正３】
【補正対象書類名】明細書
【補正対象項目名】０００５
【補正方法】変更
【補正の内容】
【０００５】
本発明によれば、その装着体のキャップ部は、ペットボトルのネック部の螺子部に螺合可能な螺子部を有するので、ペットボトルのネック部特に使用済みのペットボトルのキャップを取脱した後のネック部に装着することができ、当該キャップ部には、穴を開けて前記洗浄液用流路部を挿着しており、使用済みのペットボトルに水などの洗浄液を入れて、当該使用済みのペットボトルを手で押圧すれば当該洗浄液用流路部に洗浄液が流出し、当該洗浄液用流路部の先端部には、洗浄液吐出部を有するので当該洗浄液吐出部から洗浄液を吐出させることができる。又、当該キャップ部には、当該洗浄液用流路部に隣接して空気取入口及び空気弁を設けてあるので、ペットボトルを使用して手で押圧して再度又は続けて洗浄液を吐出させる際に、当該空気取入口及び空気弁を介してペットボトル内部に新たな空気を導入することができ、円滑な洗浄液の吐出を果たすことができる。
請求項３は、内容物を取り除いた使用済みのペットボトルのネック部に、請求項１に記載の携帯用手動おしり洗浄器の装着体を取付けて携帯用手動おしり洗浄器としたもので、使用済みのペットボトルのリタ−ナブル（リサイクル）に貢献できる。
請求項４は、上記のペットボトルに代えて折畳み可能な容器としたもので、前記と同様の装着体を使用できるようにしたものである。
請求項５は、請求項４の折畳み可能な容器に関した携帯用手動おしり洗浄器を提供するものである。
本発明の上記装着体や携帯用手動おしり洗浄器は、世界中で使用されているペットボトルを利用でき、費用も掛からず、手軽に携帯用手動おしり洗浄器となすことができ、その装着体を携帯していれば、旅先や外国でも、飲み終わったペットボトルがあれば簡単におしり洗浄器とすることができ、手動であるので、乾電池も不要で、電池切れもない。
【手続補正４】
【補正対象書類名】明細書
【補正対象項目名】００１１
【補正方法】変更
【補正の内容】
【００１１】
次に、図６に示す他の携帯用手動おしり洗浄器Ｌについて説明する。
当該携帯用手動おしり洗浄器Ｌは、前記の携帯用手動おしり洗浄器Ｋにあっては、その洗浄液を貯留させる容器が、使用済みのＰＥＴボトル１であったのに対して、折り畳み可能な容器６を使用したものである。
当該携帯用手動おしり洗浄器Ｌには、図６に示すように、前記図１に示す実施例の装着体５と同様に構成された携帯用手動おしり洗浄器の装着体５が使用される。
当該携帯用手動おしり洗浄器の装着体は、図６に示すように、キャップ部５００と、先端部に洗浄液吐出部５０１０を有する洗浄液用流路部５０１とを備えて構成される。
図６に示す当該携帯用手動おしり洗浄器の装着体５における当該キャップ部５００は、その図示が省略されているが、折り畳み可能な容器６のネック部の螺子部に螺合可能な螺子部を有するように構成されている。
図１に示す実施例と同様に当該洗浄液用流路部５０１は、適宜長さの中空の例えば４角形の直方体により構成され、当該洗浄液用流路部５０１内部には、洗浄液が先端部の適宜個数の吐出穴を開けて形成された洗浄液吐出部５０１０に向かって流れるように流路が形成されている。
当該携帯用手動おしり洗浄器の装着体５は、当該キャップ部５００に、折り畳み可能な容器６の内部の洗浄液が当該洗浄液用流路部５０１に流出するように穴を開け、当該穴の内部に当該洗浄液用流路部５０１を挿着する。
図７に示すように、当該実施例で使用される容器６は、折り畳み可能であるので、順次、端部より折り畳めば、その内部の洗浄液を洗浄液用流路部５０１の先端部の洗浄液吐出部５０１０から吐出（噴射）させることができるが、前記実施例のような空気取入口５０２及び空気弁５０３を設けることにより、より一層洗浄液の流出の勢いなどを強めることが出来る等の利点があるので、前記図１に示す実施例の装着体と同様に当該携帯用手動おしり洗浄器の装着体５の当該キャップ部５００にはその当該洗浄液用流路部５０１に隣接して当該空気取入口５０２及び空気弁５０３を設けるとよい。
当該空気取入口５０２は、当該キャップ部５００に空気取入穴を開けて形成することができる。当該空気取入口５０２の下部に空気弁５０３を設置すればよい。当該空気弁５０３は、例えば、ゴムシ−トバルブを使用することができる。
当該携帯用手動おしり洗浄器の装着体５の当該キャップ部５００においてその当該洗浄液用流路部５０１に隣接して前記空気取入口５０２及び空気弁５０３を設けることにより、前記図１に示す実施例の装着体５と同様のものとなり、両者を共通させることができるので、ペットボトルに使用する装着体５を当該折り畳み容器６の装着体５としても使用できる。
この場合、当該キャップ部５００における螺子部を折り畳み容器６の螺子部に適合させるように調整してもよい。